(57)【要約】【課題】後続の演奏予約曲より所定時間だけ演奏を後回しにさせる。【解決手段】時期指定情報のつかない楽曲ＩＤの入力と、時期指定情報のついた楽曲ＩＤの入力が可能な操作入力手段と、制御手段の制御によりカラオケ楽曲を演奏する手段を備え、待ち行列に登録された楽曲ＩＤに従って順番に演奏し、時期指定情報のついた楽曲ＩＤの入力を受け付けた際、受け付けた楽曲ＩＤを受け付けた楽曲ＩＤをメモリに記録するとともに、当該楽曲ＩＤ記録に対応付けしたタイマに受け付けた時期指定情報に基づく時間値をプリセットして当該タイマを起動し、タイマがタイムアップした際、当該タイマに対応づけてメモリに記録された楽曲ＩＤを待ち行列の先頭に割り込み登録するカラオケ装置を提供する。【選択図】図５
2008310265.tif 000002
【特許請求の範囲】
【請求項１】
操作入力手段と、演奏手段と、制御手段と、メモリを備え、待ち行列に登録された楽曲ＩＤに従って順番に演奏するカラオケ装置であって、
操作入力手段は、時期指定情報のつかない楽曲ＩＤの入力と、時期指定情報のついた楽曲ＩＤの入力を可能とし、
演奏手段は、制御手段の制御によりカラオケ楽曲を演奏し、
制御手段は、時期指定情報のつかない楽曲ＩＤの入力を受け付けた際、当該楽曲ＩＤを待ち行列に登録するとともに、時期指定情報のついた楽曲ＩＤの入力を受け付けた際、第１〜第２処理を行ない、
第１処理は、受け付けた楽曲ＩＤをメモリに記録するとともに、当該楽曲ＩＤ記録に対応付けしたタイマに受け付けた時期指定情報に基づく時間値をプリセットして当該タイマを起動し、
第２処理は、起動されたタイマがタイムアップした際、当該タイマに対応づけてメモリに記録された楽曲ＩＤを待ち行列の先頭に割り込み登録する
カラオケ装置。
【発明の詳細な説明】
【技術分野】
【０００１】
この発明は、グループでカラオケ利用する場合などに、予約済みの楽曲の演奏を一定時間だけ後回しにして、同じ利用者が続けて歌唱することがないようにしたカラオケ装置に関する。
【背景技術】
【０００２】
カラオケ装置は、リモコン装置などのユーザインタフェースを介して受け付けた予約楽曲の楽曲ＩＤを演奏処理の待ち行列に登録し、待ち行列から順番に楽曲ＩＤを取り出してその楽曲を次々と演奏する。そのため、同じ利用者が続けて予約すると、同じ利用者が続けて歌唱することになり、グループでカラオケを楽しむ場合に、各利用者に平等な歌唱機会が与えられない。そこで、とくに大勢でカラオケを楽しむ場合には、歌唱の機会が平等に巡るように、メンバー間で歌唱順を考慮しながら順番に希望曲を演奏予約することが望ましい。
【発明の開示】
【発明が解決しようとする課題】
【０００３】
近頃のカラオケ店では、多数のカラオケ楽曲を収録した分厚い目次本のかわりに、タブレットタイプのコンピュータで構成された電子目次本（カラオケ選曲装置）がよく利用されている。このようなカラオケ選曲装置は、タブレットコンピュータの高い演算能力や記憶能力、通信能力を利用して、多様な切り口で検索させて選曲することができる。たとえば、特許第３６４５２１１号公報には、利用者の年齢や年代に基づいて、利用者の記憶に残る年代の流行曲を検索する、いわゆるあの頃検索について開示されている。このような多様な選曲機能は、選曲すること自体がカラオケ歌唱とは別の楽しみを創出している。利用者はゲーム感覚でその操作に夢中になることも多い。また、久しぶりにカラオケ店に行ったり、多数の新譜が加わっていたりすると、一人の人がつい目次本や選曲装置を独占して複数の楽曲を連続して予約してしまう場合もある。
【０００４】
そこで本発明者は、予約した曲の演奏を予約順にかかわらずに演奏する時期を指定して予約できれば、一人が一度に複数の楽曲を予約したとしても同伴者全員に平等に歌唱機会が与えられるだけでなく、各人の都合に合わせて歌唱できるので便利だと考えた。たとえばメンバーが５人いれば、今予約した楽曲を他のメンバーが予約した５曲の演奏が済んだ頃を見計らって演奏順番が回ってくるようにでき、他のメンバーに気兼ねなく予約操作を行える。また、その頃の場の盛り上がり具合を予想してふさわしい曲を選曲することもできる。後から遅れてくるメンバーが来たらすぐに歌えるように、演奏の時期を指定して予約しておくこともできるし、先に帰ることが確定しているメンバーが帰る前に確実に歌えるように演奏の時期を指定して予約しておくこともできる。そうすれば、選曲操作も効率よく行えるし、メンバー間でスムーズに選曲装置や目次本など融通し合えて、カラオケの場も和やかになる。そのようなことを考えながら本発明を創作した。
【課題を解決するための手段】
【０００５】
この発明に係るカラオケ装置は、分説すると、つぎの事項（１）〜（６）により特定されるものである。  
（１）操作入力手段と、演奏手段と、制御手段と、メモリを備え、待ち行列に登録された楽曲ＩＤに従って順番に演奏するカラオケ装置であること
（２）操作入力手段は、時期指定情報のつかない楽曲ＩＤの入力と、時期指定情報のついた楽曲ＩＤの入力を可能とすること
（３）演奏手段は、制御手段の制御によりカラオケ楽曲を演奏すること
（４）制御手段は、時期指定情報のつかない楽曲ＩＤの入力を受け付けた際、当該楽曲ＩＤを待ち行列に登録するとともに、時期指定情報のついた楽曲ＩＤの入力を受け付けた際、第１〜第２処理を行なうこと
（５）第１処理は、受け付けた楽曲ＩＤをメモリに記録するとともに、当該楽曲ＩＤ記録に対応付けしたタイマに受け付けた時期指定情報に基づく時間値をプリセットして当該タイマを起動すること
（６）第２処理は、起動されたタイマがタイムアップした際、当該タイマに対応づけてメモリに記録された楽曲ＩＤを待ち行列の先頭に割り込み登録すること
【発明の効果】
【０００６】
本発明のカラオケ装置によれば、希望曲を受け付けた順番どおりではなく所定時間が経過した後に演奏するように予約することができるので、選曲操作を行なう際に、一人の利用者が他のメンバーに気兼ねすることなく連続して予約操作を行える。また、一人の利用者が一度に複数の楽曲を予約する機会が増えるので、選曲に関わる時間や手間が、複数の利用者が一曲ずつ順番に選曲操作を行うより省力でき、カラオケ歌唱に集中できる。また、所定時間が経過した頃のカラオケの場の盛り上がり具合などを想定しながら選曲できるので、場の雰囲気にあった曲を演奏するように指定できる。さらに、所定時間後に到着する予定のメンバーがすぐに歌えるように選曲して予約しておいたり、先に帰る予定のメンバーが帰る前に確実に歌えるように予約しておいたりすることもできる。したがって、カラオケの場がより和やかになることを期待できる。
【実施例】
【０００７】
＝＝＝カラオケ装置の基本構成＝＝＝
図１に本実施例におけるカラオケ装置の構成を例示した。本実施例のカラオケ装置は、周知の通信カラオケシステムの一部であり、複数の客室１２０を備えたカラオケ店舗において、同室内にあるカラオケ演奏端末（以下、演奏端末１０）と、当該演奏端末を操作するための客室端末２０とで構成される。カラオケ店舗にはＬＡＮ１１０が敷設され、このＬＡＮ１１０を介して各客室の演奏端末１０と同室内の客室端末２０とが通信する。
【０００８】
客室端末２０は、タッチパネルを主要なユーザインタフェースとしたタブレットコンピュータと同様のハードウェア構成であり、所定規格の無線ＬＡＮインタフェースを実装する。内蔵する外部記憶に、演奏予約などの操作対象となる同室内の演奏端末１０の所在情報（ＩＰアドレスなど）を記憶しており、無線アクセスポイント４０を介してＬＡＮ１１０に接続し、演奏端末１０と通信する。また、インストールされているプログラムの実行によりＧＵＩを通じて利用者と対話し、楽曲の演奏予約など、演奏端末１０を操作するためのリモコン装置として機能する。
【０００９】
＝＝＝演奏端末１０の基本構成と通常演奏機能＝＝＝
演奏端末１０は、汎用パソコンの応用装置である。図２にそのブロック構成を例示した。中央制御部１１は周辺構成部を制御して演奏端末１０を統括する。ハードディスク装置１２には、メインコンピュータのプログラムのほか、伴奏音楽や歌詞画像の起源となるカラオケデータを楽曲ＩＤに対応付けして記憶している。
【００１０】
客室端末２０の外部記憶には、演奏端末１０にて演奏可能なカラオケ楽曲について、曲名・アーティスト名・楽曲ジャンルなどの目次情報を、楽曲ＩＤに対応付けして集約した楽曲索引データベースが記憶されている。客室端末２０は、タッチパネルを介した利用者との対話を通じて、利用者の希望する楽曲の目次情報を楽曲索引データベースから検索して提示する。そして、客室端末２０において最終的に１曲に特定されたカラオケ楽曲を演奏予約する旨の利用者の指示入力がなされると、その楽曲の楽曲ＩＤを含む演奏予約電文を同室内の演奏端末１０に転送する。
【００１１】
演奏端末１０の中央制御部１１は、客室端末２０から送信されてきた楽曲ＩＤを受け付けたり、操作／表示パネル１３に入力された楽曲ＩＤを受け付けたりすると、その楽曲ＩＤを受け取った順にＲＡＭなどに格納し、その受付順に格納された楽曲ＩＤを演奏処理の待ち行列として管理する。すなわち、受け付け順に待ち行列の先頭から順に登録していく。そして、待ち行列の先頭から楽曲ＩＤを取り出して、その楽曲ＩＤに該当するカラオケデータを取り出す。待ち行列の先頭から楽曲ＩＤを取り出すと、その楽曲ＩＤの次に受け付けた楽曲ＩＤが待ち行列の先頭になる。
【００１２】
中央制御部１１の制御により、取り出されたカラオケデータに基づいて、演奏処理部１５が伴奏音楽の音楽信号を生成し、マイクロホンに入力された歌声信号とミキシングアンプ１６で混合・増幅してスピーカより音響出力する。また、映像処理部１７が、背景映像に演奏の進行に同期して色変わりする歌詞字幕をスーパーインポーズ処理してディスプレイ１８に映像出力する。
【００１３】
＝＝＝待機楽曲演奏機能＝＝＝
本実施例の演奏端末１０は、上記の通常演奏機能に加え、利用者が待機楽曲として先に予約した楽曲を、所定時間が経過した後に演奏する待機楽曲演奏機能を備えている。
【００１４】
図３に客室端末２０における待機楽曲演奏機能に関わるユーザインタフェース環境を例示した。利用者が最終的に予約楽曲を選択指定すると、その楽曲についての詳細情報がタッチパネルに表示される。その詳細情報の画面には、曲目やアーティスト名などの目次情報と、演奏端末１０に演奏予約させるための転送ボタン３０と、当該機能により待機楽曲を演奏予約させるための待機転送ボタン３１が配設されている。また、待機楽曲の演奏の時期を指定する情報を入力できるようになっている。たとえば、待機転送ボタン３１が指示入力されると、次に遷移した画面（図４参照）で、演奏を待機させる時間値を入力するための数値キーや、数値を選択可能にしたプルダウンメニューなどを用意して、入力できるようにしておく。
【００１５】
利用者は、たとえば５人のメンバーのそれぞれが予約した５曲の演奏が終わる頃を見計らって待機時間を２０分としたり、カラオケを始めてから３０分経てばひととおり皆が歌ったりしゃべったりして場の雰囲気が和むことを想定して、皆で合唱できる歌を選曲してその待機時間を３０分にしたり、４０分後に合流予定のメンバーのために選曲しておき合流したら待たずに歌唱できるように待機時間を４０分としたり、１時間後に先に帰ることが決まっているメンバーが帰る前に歌唱できるように待機時間を５０分にしたりすることができる。
【００１６】
時期指定情報として、時分の数値を入力または選択可能にしておき、演奏する時期を時刻で指定するようにしてもよい。その場合には、客室端末２０が内蔵するカレンダ時計から取得した現在時刻と入力された時刻情報との差分を求めてこれを待機時間値とすればよい。
【００１７】
客室端末２０は、待機転送ボタン３１が指示され待機時間値（時期指定情報）が入力されると、楽曲ＩＤとともに待機時間値を含んだ演奏予約電文を生成し、演奏端末１０に送信する。
【００１８】
演奏端末１０は、待機時間値とともに送信されてきた楽曲ＩＤを待機楽曲ＩＤとして、指定された待機時間だけ演奏予約の待ち行列には登録せずに待機させる。そして待機時間が経過すると、演奏中の楽曲の次に演奏するように、演奏予約の待ち行列の先頭に割り込み予約するものである。
【００１９】
なお、客室端末２０にて時期指定情報として時刻情報が入力された場合に、その時刻情報をそのまま、楽曲ＩＤとともに演奏予約電文に含めて演奏端末１０に送信してもよい。その場合には、演奏端末１０において、現在時刻との差分を待機時間値として扱えばよい。
【００２０】
図５には、本実施例にかかる演奏端末１０における待ち行列登録の際の処理フローを例示している。演奏端末１０の中央制御部１１は、受け取った演奏予約電文に含まれている楽曲ＩＤに待機時間値がついていない場合には、通常演奏機能の処理に従ってその楽曲ＩＤを待ち行列の最後尾に登録する（ｓ１→ｓ２→ｓ６）。
【００２１】
一方、中央制御部１１が受け取った演奏予約電文に、楽曲ＩＤと待機時間値が含まれていた場合に、この楽曲ＩＤをすぐには待ち行列に登録しない。待ち行列とは別の記憶領域（メモリ）に当該楽曲ＩＤを待機曲として記憶する。その際に、この待機楽曲ＩＤに対応付けして待機タイマを起動する。このタイマ値には、待機時間値を設定する（ｓ１→ｓ２→ｓ３）。  
そして、起動中のタイマが満了すると、対応する待機曲の楽曲ＩＤを待ち行列の先頭に割り込んで登録する（ｓ４→ｓ５）。
【００２２】
そして中央制御部１１は、演奏中の楽曲の演奏が終了すると、通常演奏機能の処理に従って待ち行列の先頭から当該待機曲の楽曲ＩＤを取り出して演奏処理部１５に転送し、演奏処理を行う。したがって、待機曲が待ち行列に割り込み登録されると、次曲として当該待機曲が演奏されることになる。このようにして、待機曲の予約操作をしてから指定の待機時間が経過した後に、この待機曲を優先して演奏させることができる。
【００２３】
この待機楽曲演奏機能によれば、希望曲を待機時間が経過した後に演奏するように、後の人がまだ選曲していなくても予約することができる。そのため、選曲操作を行ったら、他のメンバーに気兼ねすることなく今すぐ予約操作を行える。また待機時間が経過した頃の場の雰囲気を予想して、その場にふさわしい選曲をすることができる。そうすると、選曲操作も効率よく行えるし、メンバー間でスムーズに選曲装置や目次本など都合しあえ、カラオケの場が円滑になる。
【００２４】
＝＝＝待機時間値について＝＝＝
利用者が待機時間値を指定しない場合には、あらかじめ客室端末２０のハードディスク装置やＲＯＭなどの適宜な記憶部に記憶させた規定値を採用するようにしてもよい。あるいは待機時間値は、予約操作ごとの利用者入力を受け付けず、一律に規定値としてもよい。この規定値は、カラオケ開始前などに、カラオケ店舗フロントの管理コンピュータなどからＬＡＮ１１０を介して入力できるようにしてもよいし、利用者入力により設定できるようにしておいてもよい。たとえば、メンバーの人数に応じて歌唱が一巡する時間を想定した値を指定入力させる。
【００２５】
あるいは、規定値を演奏端末１０のハードディスク装置１２やＲＯＭなどの適宜な記憶部に記憶させておいてもよい。その場合に客室端末２０は、選曲され待機転送ボタン３１が指示されると、楽曲ＩＤに待機フラグを付帯させて演奏端末１０に送信する。演奏端末１０は、待機フラグのついた楽曲ＩＤを待機楽曲とし、待機タイマ値に当該規定値を設定して起動する。
【図面の簡単な説明】
【００２６】
【図１】本実施例に係るカラオケ装置の構成を例示している。
【図２】本実施例に係る演奏端末のハードウェア構成を例示している。
【図３】本実施例に係る客室端末における選曲画面を例示している。
【図４】同上客室端末における時期指定情報の入力画面を例示している。
【図５】本実施例に係る待機楽曲演奏処理フロー図である。
【符号の説明】
【００２７】
１０  演奏端末
１１  中央制御部
２０  客室端末
【図２】
2008310265.tif 000003
【図５】
2008310265.tif 000004
【図１】
2008310265.tif 000005
【図３】
2008310265.tif 000006
【図４】
2008310265.tif 000007